(57)【要約】【課題】  ベランダの手摺などに取り付けても外観を損うことが少なく、防鳥効果の高い鳥よけ装置を提供する。【解決手段】  笠木５１の長手方向に隔離配置され笠木５１に固定された一対の支柱１と、支柱１によって笠木５１の上方で回動可能に支持されている一対の連結アーム２と、一方の連結アーム２の端部から、他方の連結アーム２の端部に対して設けられている２本の回転アーム３とを、鳥よけ装置１０に備えた。好ましくは、一方の回転アーム３が連結アーム２の回転軸よりも上方で静止する構成とした。【選択図】図１
0003110710.tif 000002
【実用新案登録請求の範囲】
【請求項１】
笠木または手摺の長手方向に隔離配置され、笠木または手摺に固定された一対の支柱と、
前記一対の支柱にそれぞれ回転自在に支持されている一対の連結アームと、
各連結アームの回転支持部を介して反対側でそれぞれ一対の連結アーム間に架設されている２本の回転アームとを備えていることを特徴とする鳥よけ装置。
【請求項２】
連結アームおよび回転アームに外力が加わっていない場合には、一方の回転アームが連結アームの回転軸よりも上方で静止することを特徴とする請求項１に記載の鳥よけ装置。
【請求項３】
連結アームの回転軸は、連結アームの重心から一方の回転アーム側寄りに設けられていることを特徴とする請求項１または２に記載の鳥よけ装置。
【請求項４】
連結アームは、板状もしくは棒状の直線形状、または折曲形状を有していることを特徴とする請求項１〜３に記載の鳥よけ装置。
【請求項５】
回転アームは、断面形状がロ字形、丸形、三角形、または多角形であることを特徴とする請求項１〜４に記載の鳥よけ装置。
【請求項６】
連結アームが一定以上回転するのを防ぐため、支柱から連結アーム側にストッパが設けられていることを特徴とする請求項１〜５に記載の鳥よけ装置。
【請求項７】
笠木または手摺の上方で笠木または手摺に沿って横設された横桟と、
前記横桟の長手方向に沿って配置された複数の縦桟と、
前記横桟を笠木または手摺の上方に取り付ける取付部材とを備え、
前記横桟は、縦桟の上端よりも下方で縦桟を支持しており、
前記縦桟は、笠木または手摺に対して垂直に、または上端を家屋側もしくは屋外側に傾けて支持されており、前記横桟および笠木または手摺に鳥がとまれないようにするための間隔を設けて配置されていることを特徴とする鳥よけ装置。
【請求項８】
縦桟の内部には磁石が設けられていることを特徴とする請求項７に記載の鳥よけ装置。
【請求項９】
縦桟には、鳥類が近づいたときに音を発する部材が取り付けられていることを特徴とする請求項７または８に記載の鳥よけ装置。
【請求項１０】
縦桟の表面には、粘着部材が設けられていることを特徴とする請求項７〜９に記載の鳥よけ装置。
【請求項１１】
縦桟には、鳥類が近づいたときに光を発する部材が取り付けられていることを特徴とする請求項７〜１０に記載の鳥よけ装置。
【請求項１２】
笠木または手摺の長手方向に沿って、請求項１〜６に記載の鳥よけ装置と、請求項７〜１１に記載の鳥よけ装置とが並設されていることを特徴とする鳥よけ装置。
【請求項１３】
請求項１〜６に記載の鳥よけ装置の両側に、請求項７〜１１に記載の鳥よけ装置が配置されていることを特徴とする請求項１２に記載の鳥よけ装置。
【考案の詳細な説明】
【技術分野】
【０００１】
本考案は、ハトなどの鳥が、ベランダの手摺等にとまるのを防ぐための鳥よけ装置に関する。
【背景技術】
【０００２】
マンションのベランダなどに取り付けらている手摺は、鳩などの鳥がとまる格好の止まり木となりやすく、このため糞害などの被害が生じている。そこで、従来、鳥がとまらないようにするために、種々の防鳥具が提案されている。
【０００３】
一般的な防鳥具としては、例えば下記特許文献１に記載されている鳥害防止用ネットなどが挙げられる。しかしながら、このような鳥害防止用ネットは、ベランダ等の外観を損なうという問題点がある。
【特許文献１】特開２００１−４５９５６号公報
【考案の開示】
【考案が解決しようとする課題】
【０００４】
本考案は、上記問題点に鑑みてなされたものであって、ベランダの手摺などに取り付けても外観を損うことが少なく、防鳥効果の高い鳥よけ装置を提供することにある。
【課題を解決するための手段】
【０００５】
本考案の鳥よけ装置は、以下の構成を有する。
（１）  笠木または手摺の長手方向に隔離配置され、笠木または手摺に固定された一対の支柱と、前記一対の支柱にそれぞれ回転自在に支持されている一対の連結アームと、
各連結アームの回転支持部を介して反対側でそれぞれ一対の連結アーム間に架設されている２本の回転アームとを備えていることを特徴とする鳥よけ装置。
（２）  連結アームおよび回転アームに外力が加わっていない場合には、一方の回転アームが連結アームの回転軸よりも上方で静止することを特徴とする（１）に記載の鳥よけ装置。
（３）  連結アームの回転軸は、連結アームの重心から一方の回転アーム側寄りに設けられていることを特徴とする（１）または（２）に記載の鳥よけ装置。
（４）  連結アームは、板状もしくは棒状の直線形状、または折曲形状を有していることを特徴とする（１）〜（３）に記載の鳥よけ装置。
（５）  回転アームは、断面形状がロ字形、丸形、三角形、または多角形であることを特徴とする請求項（１）〜（４）に記載の鳥よけ装置。
（６）  連結アームが一定以上回転するのを防ぐため、支柱から連結アーム側にストッパが設けられていることを特徴とする（１）〜（５）に記載の鳥よけ装置。
（７）  笠木または手摺の上方で笠木または手摺に沿って横設された横桟と、前記横桟の長手方向に沿って配置された複数の縦桟と、前記横桟を笠木または手摺の上方に取り付ける取付部材とを備え、前記横桟は、縦桟の上端よりも下方で縦桟を支持しており、前記縦桟は、笠木または手摺に対して垂直に、または上端を家屋側もしくは屋外側に傾けて支持されており、前記横桟および笠木または手摺に鳥がとまれないようにするための間隔を設けて配置されていることを特徴とする鳥よけ装置。
（８）  縦桟の内部には磁石が設けられていることを特徴とする（７）に記載の鳥よけ装置。
（９）  縦桟には、鳥類が近づいたときに音を発する部材が取り付けられていることを特徴とする（７）または（８）に記載の鳥よけ装置。
（１０）  縦桟の表面には、粘着部材が設けられていることを特徴とする（７）〜（９）に記載の鳥よけ装置。
（１１）  縦桟には、鳥類が近づいたときに光を発する部材が取り付けられていることを特徴とする（７）〜（１０）に記載の鳥よけ装置。
（１２）  笠木または手摺の長手方向に沿って、（１）〜（６）に記載の鳥よけ装置と、（７）〜（１１）に記載の鳥よけ装置とが並設されていることを特徴とする鳥よけ装置。
（１３）  （１）〜（６）に記載の鳥よけ装置の両側に、（７）〜（１１）に記載の鳥よけ装置が配置されていることを特徴とする（１２）に記載の鳥よけ装置。
【考案の効果】
【０００６】
上記（１）によれば、連結アームと回転アームとからなる単純な枠状構造物が、笠木または手摺の上に備えられているだけであるため、外観を損なうことが少ない。また、回転アームにハトなどの鳥類がとまった場合、連結アームの回転軸を中心に回転し、とまった鳥類を驚かすことができる。その結果、ベランダの手摺などに取り付けても外観を損うことが少なく、防鳥効果の高い鳥よけ装置を提供することができる。
【０００７】
上記（２）〜（４）によれば、連結アームが傾き、一方の回転アームが連結アームの回転軸よりも上方で静止するため、わずかな外力が回転アームに加わることによって、連結アームおよび回転アームが回転する。つまり、ハトなどの鳥類が、回転アームにかすかに触れた場合においても、鳥類を驚かすことができる。
【０００８】
上記（５）によれば、断面形状がロ字形、丸形、三角形、または多角形の市販の材料、例えば、ステンレス、アルミ、プラスチック、鋳物、木質材料などの材料を用いて、容易に鳥よけ装置を製造することができる。また、これら市販の材料を用いれば、連結アームおよび回転アームの重量のバランスをとるのが容易となるため、連結アームおよび回転アームの静止位置（バランス）を比較的容易に調整することができる。
【０００９】
上記（６）によれば、ハトなどの鳥類が回転アームにとまったとき、回転する連結アームがストッパと衝突する。その衝突による衝撃によって鳥類をさらに驚かせて、効果的に退散させることができる。
【００１０】
上記（７）によれば、外観を損なうことなく、防鳥効果の高い鳥よけ装置を提供することができる。
【００１１】
上記（８）によれば、磁石の磁気によって、ハトなどの鳥類に対する忌避効果を高めるとともに、高級感のある鳥よけ装置を提供することができる。
上記（９）〜（１１）によれば、さらに忌避効果の高い鳥よけ装置を提供することができる。
上記（１２）〜（１３）によれば、例えば、ハトなどの鳥類がよりとまりやすい場所に（１）〜（６）に記載の鳥よけ装置を設け、その他の場所に（７）〜（１１）に記載の鳥よけ装置を設けるなど、配置を工夫することによって、さらに忌避効果の高い鳥よけ装置を得ることができる。
【考案を実施するための最良の形態】
【００１２】
図１は、本考案に係る鳥よけ装置の一実施形態を示す正面図である。図１に示すように、鳥よけ装置１０は、手摺５０の笠木５１の長手方向に隔離配置され、笠木５１に固定された一対の支柱１，１と、支柱１，１によって笠木５１の上方で回転自在に支持されている一対の連結アーム２，２と、各連結アーム２の回転支持部を介して反対側でそれぞれ一対の連結アーム２，２間に架設されている２本の回転アーム３，３とを備えている。
【００１３】
支柱１は、笠木５１に固定するための把持具で固定される。図１に示す例では、笠木５１を覆うようにして取り付け可能な取付用カバー１１を介して、支柱１は笠木５１に取り付けられている。支柱１および取付用カバー１１は、固定部材８で互いに固定されている。固定部材８としては、例えば、ボルト、ビスなどを用いることができる。また、取付用カバー１１は締付部材１５で笠木に締め付けられている。締付部材１５としては、例えばボルトなどを用いることができる。なお、支柱１を笠木５１に固定するための把持具は、図１に記載の部材に限定されず、さまざまな部材を用いることができる。
【００１４】
本考案においては、支柱１は、断面形状がロ字型の部材を用いているため、雨などが支柱１の内部に入るのを防止するために、樹脂製のキャップ７が上端に設けられている。また、連結アーム２を回動可能に支持するための軸５が、支柱１には設けられている。さらに、連結アーム２が一定以上回転しないようにするための凸部であるストッパ６を、支柱１から連結アーム２側に向けて設けてもよい。ストッパ６を設ければ、必要以上に連結アーム２が回転するのを防ぐことができる。さらに、ハトなどの鳥類が回転アーム３にとまって連結アーム２が回転した場合、連結アーム２はストッパ６と衝突するため、その衝突時の衝撃によって鳥類を驚かせて、鳥類を効果的に退散させることができる。
【００１５】
図１に示す鳥よけ装置１０は、連結アーム２，２および回転アーム３，３に外力が加わっていない状態を示している。このように、連結アーム２，２および回転アーム３，３に外力が加わっていない場合には、一方の回転アーム３が連結アーム２の回転軸よりも上方で静止する。
【００１６】
連結アーム２は、図１に示すように板状で直線形状の部材で構成してもよく、板状で折曲形状の部材、または棒状で直線形状もしくは折曲形状の部材で構成してもよい。さらに、連結アーム２は、２つまたは３つ以上の直線部材を、折曲形状に結合して構成されてもよい。回転アーム３は、図１に示すように断面形状が丸形、つまり管状の部材で構成してもよく、断面形状がロ字形、三角形または多角形の部材で構成してもよい。また、回転アーム３は、ハトなどの鳥類がつかまりやすいサイズであることが好ましい。
【００１７】
軸５は、わずかな外力が連結アーム２または回転アーム３に加わった場合でも回転するように、支柱１中に設けた軸受で支持されることが好ましい。例えば、軸５と接触する軸受部分に樹脂リングを設け、軸５の回転を滑らかにすることが挙げられる。また、オイルレス軸受を使用することによって、小さい力で連結アーム２および回転アーム３が回転するようにしてもよい。
【００１８】
支柱１、連結アーム２および回転アーム３の材質は、特に限定されないが、例えば、ステンレス、アルミニウム、木質材料、プラスチック、鋳物などが挙げられる。
【００１９】
図２は、図１に示す鳥よけ装置の側面を模式的に示した図である。このように、本実施の形態における鳥よけ装置１０では、連結アーム２および回転アーム３に外力が加わっていない場合には、一方の回転アーム３が、連結アーム２の回転軸よりも上方で静止する。このような位置で静止させた場合、連結アーム２および回転アーム３は、わずかな外力を受ければ回転することになる。その結果、ハトなどの鳥類が回転アーム３にとまった場合に、それらの回転により鳥類を驚かせて、鳥類を効果的に退散させることができる。なお、このような位置で静止させるには、例えば、連結アーム２の両端にかかる重さのバランスを調整すればよい。具体例としては、回転アーム３の重さを調整することが挙げられる。また、図２に記載しているように、本実施の形態における鳥よけ装置１０では、連結アーム２の重心から一方の回転アーム３側寄りに、連結アーム２の回転軸（軸５）は設けられている。このような位置に回転軸を設けることによって、一方の回転アーム３が、連結アーム２の回転軸よりも上方で静止させることが容易となる。
【００２０】
図３は、図２に示す上方の回転アーム３に鳥類がとまったときの鳥よけ装置の動作を模式的にし示した図である。図３に示すように、上方で静止している回転アーム３に鳥類がとまった場合、上方の回転アーム３には下向きの力が働く。そのため、軸５を中心に、矢印ａに示す方向に連結アーム２および回転アーム３が回転する。なお、本実施の形態ではストッパ６を備えているため、連結アーム２の回転はストッパ６で停止する。一方、鳥類の退散後は、矢印ｂに示す方向に回転し、元の静止位置に戻る。
【００２１】
図４は、図２に示す下方の回転アーム３に鳥類がとまったときの鳥よけ装置の動作を模式的にし示した図である。図３と同様に、軸５を中心に、矢印ａに示す方向に連結アーム２および回転アーム３が回転し、連結アーム２の回転はストッパ６で停止する。鳥類が退散後は、矢印ｂに示す方向に回転し、元の静止位置に戻る。
【００２２】
なお、図１〜図４に示した取付用カバー１１に代えて、図５に示すように、２つの部材からなり、さまざまな幅を有する笠木５１に対応可能な取付用カバー３１を用いてもよい。このような取付用カバー３１を用いた場合は、例えば、笠木５１の幅に対応するためのボルト孔を有し、ボルト２２を介して取付用カバー３１に結合されるボルト取付部材２０と、支柱１およびボルト取付部材２０を結合させるビス２１とを用いて、支柱１を笠木５１上に固定すればよい。また、取付用カバー３１には、細長いルーズ孔３２を設ければ、ボルト２２の取り付け等が容易となる。
【００２３】
図６は、本考案における他の鳥よけ装置の正面図を示している。図６に示す鳥よけ装置１１０は、笠木５１の上方で笠木５１に沿って横設された横桟１０２と、横桟１０２の長手方向に沿って、一定の間隔Ｄを設けて互いに略平行に配置された複数の縦桟１０１と、横桟１０２を笠木５１の上方に取り付ける取付部材１０３とを備えている。そして、横桟１０２は、縦桟１０１の上端よりも下方で縦桟１０１を支持している。さらに、縦桟１０１は、横桟１０２および笠木５１にハト等の鳥類がとまれないようにするための、間隔Ｄを設けて配置されている。このように、一定の間隔Ｄを設けて複数の縦桟１０１を備え、縦桟１０１の上端よりも下方に横桟１０２を設ければ、外観を損なうことなく、ハトなどの鳥類がとまることが可能な場所をなくすことができる。その結果、外観を損なうことなく、高い防鳥効果を得ることができる。なお、図６には、１本の横桟１０２を有する鳥よけ装置１１０を記載している。しかし、複数の横桟１０２、例えば２〜３本の横桟１０２を有する鳥よけ装置１１０としてもよい。
【００２４】
取付部材１０３が横桟１０２を支持する方法は、特に限定されないが、例えば、横桟１０２の背面と取付部材１０３とを連結具１２０で結合する方法が挙げられる。連結具１２０としては、例えば、ボルト、ビスカットなどが挙げられる。また、取付部材１０３を笠木５１に固定する方法も特に限定されないが、例えば図６に示す固定部材１２１で固定する方法が挙げられる。固定部材１２１としては、例えばボルトなどを用いることができる。
【００２５】
図６に示す縦桟１０１の間隔Ｄは、１０ｍｍ〜２００ｍｍ、好ましくは５０ｍｍ〜８０ｍｍがよい。間隔Ｄをこの範囲内とすれば、ハトなどの鳥類を効果的に退散させることができる。また、縦桟１０１の幅Ｗは、５ｍｍ〜４０ｍｍ、好ましくは１０ｍｍ〜３０ｍｍがよい。幅Ｗをこの範囲内とすれば、ハトなどの鳥類が縦桟１０１にとまることを防止することができる。縦桟１０１の本数は、横桟１ｍ当たり３〜５０本、好ましくは１０〜２０本とするのがよい。
【００２６】
縦桟１０１、横桟１０２および取付部材１０３の材質は、特に限定されないが、例えば、ステンレス、アルミニウム、木質材料、プラスチック、鋳物などが挙げられる。縦桟１０１等としてステンレス、アルミニウム、木質材料、プラスチック、鋳物などの強固な材質を用いれば、ふとん等を縦桟１０１で干すこともできる。
【００２７】
なお、縦桟１０１の内部に磁石が設けてもよい。このように磁石を設ければ、磁石の磁気によってハトなどの鳥類に対する忌避効果を高めることができ、さらに、高級感のある鳥よけ装置１１０が得られる。
【００２８】
また、縦桟１０１に、鳥類が近づいたときに音を発する部材または光を発する部材を取り付けて、さらに防鳥効果の高い装置としてもよい。例えば、鳥類が近づいたことを感知するセンサー（具体的には光電センサーなど）を鳥よけ装置１１０に設けて、センサーが鳥類の接近を感知したとき、音または光を発する構成とすることが挙げられる。さらに、縦桟の表面に、粘着部材を設けて、鳥類が縦桟１０１にとまるのをさらに避ける構成としてもよい。
【００２９】
図７は、図６に示す鳥よけ装置の側面を模式的に示したものである。図７に示すαは、笠木の上端面と縦桟１０１との角度を示している。つまり、この角度αは縦桟１０１の傾きを示している。この縦桟１０１の傾きαは、特に限定されず、ハトなどの鳥類がとまれない角度とするのが好ましい。具体的には、縦桟１０１の傾きαを０°〜１８０°、好ましくは４０°以上、さらに好ましくは４０°〜９０°とするのがよい。
【００３０】
図７に示すＬは縦桟の長さを示しているが、この長さＬは、５０ｍｍ〜４００ｍｍ、好ましくは１００〜２００ｍｍとするのがよい。このような長さＬを設けることにより、ハトなどの鳥類を効果的に退散させることができる。また、縦桟の側面の幅Ｓは、１０〜５０ｍｍとすることが好ましい。
【００３１】
なお、横桟１０２を笠木５１の上方に固定する取付部材１０３は、図７に示す例では、略Ｌ字形状の第一取付部材１３０と、略く字形状の第二取付部材１３１とを有している。図７に示すように、形状の異なる第一取付部材１３０と第二取付部材１３１とを重ね合わせて、それらが重なっている部分に、横桟１０２を連結具１２０で固定している。また、連結具１２０の下方にはボルト１３２を設けて、第一取付部材１３０と第二取付部材１３１とを強固に固定している。そして、第一取付部材１３０と第二取付部材１３１とが重ならず隙間が生じている部分に笠木５１を挟み、固定部材１２１で締め付けることにより、取付部材１０３は笠木５１に固定されている。なお、取付部材１０３は、図７に示すような２つの部材からなるものに限定されず、一体型の部材としてもよい。
【００３２】
また、上記鳥よけ装置１０と鳥よけ装置１１０とを併用すれば、より効果の高い鳥よけ装置が得られる。例えば、笠木５１の長手方向に沿って、鳥よけ装置１０と鳥よけ装置１１０とが並設する、具体例としては鳥よけ装置１０の両側に鳥よけ装置１１０を配置することが挙げられる。また、併用の例としては、鳥よけ装置１０を、家屋の壁の前といった鳥類がよりとまりやすい位置に配置することが挙げられる。そして、鳥よけ装置１１０を、鳥よけ装置１０が配置された以外の位置（例えば鳥よけ装置１０の隣りなど）、具体例としては、はき出し窓といった窓の前に配置することが挙げられる。このように配置すれば、ハトなどの鳥類が鳥よけ装置１０に一旦とまろうとするものの、鳥よけ装置１０は回転するため、鳥類をより効果的に驚かすことができる。つまり、上記鳥よけ装置１０と鳥よけ装置１１０とを併用すれば、より効果の高い鳥よけ装置が得られる。
【００３３】
上記実施の形態においては、図面を用いて、鳥よけ装置１０および鳥よけ装置１１０を、フェンス形の笠木５１に取り付ける実施形態について説明した。しかし、本考案は、このようなフェンス形の笠木５１に取り付けることに限定されない。例えば、手摺の上、ベランダに設けられているコンクリート手摺の笠木の上などに、鳥よけ装置１０および鳥よけ装置１１０を取り付けてもよい。
【図面の簡単な説明】
【００３４】
【図１】本考案の鳥よけ装置の一例を示す正面図である。
【図２】図１に示す鳥よけ装置の側面を模式的に示した図である。
【図３】図１に示す鳥よけ装置が回転した場合の一例を、側面から示した模式図である。
【図４】図１に示す鳥よけ装置が回転した場合の他の例を、側面から示した模式図である。
【図５】図１に示す鳥よけ装置を笠木上に固定する場合に、さまざまな幅の笠木に対応することができる部材を模式的に示した図である。
【図６】本考案の鳥よけ装置の他の例を示す正面図である。
【図７】図６に示す鳥よけ装置の側面を模式的に示した図である。
【符号の説明】
【００３５】
１・・・支柱
２・・・連結アーム
３・・・回転アーム
６・・・ストッパ
１０・・・鳥よけ装置
５０・・・手摺
５１・・・笠木
１０１・・・縦桟
１０２・・・横桟
１０３・・・取付部材
１１０・・・鳥よけ装置
【図１】
0003110710.tif 000003
【図２】
0003110710.tif 000004
【図３】
0003110710.tif 000005
【図４】
0003110710.tif 000006
【図５】
0003110710.tif 000007
【図６】
0003110710.tif 000008
【図７】
0003110710.tif 000009